(57)【特許請求の範囲】
【請求項１】
本体のハウジングの上部に、肌に当接して吸引する吸引ノズルと、該吸引ノズルの周囲近傍に位置して前記吸引ノズルで吸引した後の肌に液体を噴霧して冷却するための噴霧ノズルを設け、前記吸引ノズルの先端部を噴霧ノズルの吹き出し位置よりも突出し、ハウジングに噴霧ノズルに供給する液体を貯蔵するタンクを設けると共に、該ハウジングに、吸引ノズルに吸引力を発生するための吸引ポンプと、タンク内の液体を噴霧ノズルに供給する液体供給ポンプを内蔵したことを特徴とする美顔器。
【請求項２】
前記噴霧ノズルは本体のハウジングに設けた凹部に配設したことを特徴とする請求項１記載の美顔器。
【請求項３】
噴霧ノズルには噴霧ノズルからの噴霧の広がりを規定する部分が形成されたことを特徴とする請求項２記載の美顔器。
【請求項４】
前記凹部の開口縁に近接するように噴霧ノズルの先端にリング状部を設け、凹部の開口縁とリング状部との間に浸入してきた液体を排出する排液手段を設けたことを特徴とする請求項２または請求項３記載の美顔器。
【請求項５】
前記排液手段は、噴霧ノズルに液体を供給する経路に戻すように形成されていることを特徴とする請求項４記載の美顔器。
【請求項６】
前記タンクは本体のハウジングに収納されていることを特徴とする請求項１乃至請求項５のいずれかに記載の美顔器。
【請求項７】
前記タンクを給液管を介して本体のハウジングとは別体に設けたことを特徴とする請求項１乃至請求項５のいずれかに記載の美顔器。
【請求項８】
前記タンクの壁面に液体の通過を阻止すると共に空気を通過させる空気取り込み部材を設けたことを特徴とする請求項１乃至請求項７のいずれかに記載の美顔器。
【請求項９】
液体供給ポンプから噴霧ノズルに至る経路の途中に開閉弁を設けたことを特徴とする請求項１乃至請求項８のいずれかに記載の美顔器。
【請求項１０】
タンクから噴霧ノズルに至る経路の途中に液体中の不純物を濾過または吸着する処理材を設けたことを特徴とする請求項１乃至請求項９のいずれに記載の美顔器。
【請求項１１】
吸引ポンプは液体供給ポンプを兼ねていることを特徴とする請求項１に記載の美顔器。
【請求項１２】
前記噴霧ノズルは吸引用ノズルからの排気口を兼ねていることを特徴とする請求項１１記載の美顔器。
【発明の詳細な説明】
【０００１】
【発明の属する技術分野】
本発明は吸引により皮脂や肌の汚れの除去やマッサージを行い、且つその箇所に液体を噴霧し、肌を引き締めることを行う美顔器に関するものである。
【０００２】
【従来の技術】
従来のこの種の美顔器にあっては、吸引口を肌に当てて、吸引ポンプの駆動にて吸引口から吸引することで皮脂や汚れ等を取ったり、マッサージしたりするようになっている。
【０００３】
【発明が解決しようとする課題】
ところが、美顔器にて肌より皮脂や汚れを取ることにより、かえってその箇所の毛穴が目立ってしまったり、発熱して赤くなってしまうという問題があった。
【０００４】
本発明は叙述の点に鑑みてなされたものであって、美顔器使用前に液体を噴霧することにより滑りを良くして使用し易くすることができ、使用後は使用箇所に液体を噴霧することにより発熱した部位を冷やしたり、毛穴を引き締めたりすることのできる美顔器を提供することを課題とする。
【０００５】
【課題を解決するための手段】
上記課題を解決するため本発明の美顔器は、本体のハウジング５の上部に、肌に当接して吸引する吸引ノズル１と、該吸引ノズル１の周囲近傍に位置して前記吸引ノズル１で吸引した後の肌に液体を噴霧して冷却するための噴霧ノズル３を設け、前記吸引ノズル１の先端部を噴霧ノズル３の吹き出し位置よりも突出し、ハウジング５に噴霧ノズル３に供給する液体を貯蔵するタンク４を設けると共に、該ハウジング５に、吸引ノズル１に吸引力を発生するための吸引ポンプ２と、タンク４内の液体を噴霧ノズル３に供給する液体供給ポンプ２′を内蔵したことを特徴とする。液体供給ポンプ２′を動作させることによりタンク４内の液体を噴霧ノズル３に供給して噴霧ノズル３から液体をミストとして噴霧できる。このとき、美顔器使用前（美顔器で吸引ノズル１から吸引する前）液体を噴霧ノズル３から噴霧することにより、滑りを良くして使用時に肌に負担をかけないようにすることができる。美顔器使用後は、使用箇所の肌が運動したために発熱しているが、その箇所に液体を噴霧することにより冷却したり、汚れを除去した毛穴を引き締めたりすることができる。またハウジング５に液体供給ポンプ２′を内蔵させることにより商品を小型化することができる。また吸引ノズル１の先端部を噴霧ノズル３の吹き出し位置よりも突出するように構成したので、吸引ノズル１から肌を吸引している使用時には噴霧ノズル３が邪魔にならず、且つ吸引ノズル１が肌より離れたとき、液体の噴霧に適度な広がりがあり、使用箇所に効果的な噴霧ができる。
【０００６】
また前記噴霧ノズル３は本体のハウジング５に設けた凹部６に配設したことを特徴とすることも好ましい。噴霧ノズル３を本体のハウジング５の凹部６に配設したことにより、凹部６の開口で噴霧ノズル３から噴霧するミストの広がりを規制でき、狙った箇所以外にミストがかからないようにできる。このために噴霧したミストが顔以外の部位にかからないように調整したりすることができる。
【０００７】
また噴霧ノズル３には噴霧ノズル３からの噴霧の広がりを規定する部分が形成されたことを特徴とすることも好ましい。このようにすると液体を噴霧する噴霧角度を調整できる。このため噴霧角度を調整することにより、使用したい箇所を狙って液体を噴霧して効果的な効果が期待できる。
【０００８】
また前記凹部６の開口縁に近接するように噴霧ノズル３の先端にリング状部７を設け、凹部６の開口縁とリング状部７との間に浸入してきた液体を排出する排液手段を設けたことを特徴とすることも好ましい。この場合、液体の噴霧角度を規制した時に発生する結露水を噴霧させることがないように排出できる。このために噴霧ノズル３から結露水が吐出されるような弊害を防止できる。
【０００９】
また前記排液手段は、噴霧ノズル３に液体を供給する経路に戻すように形成されていることを特徴とすることも好ましい。この場合、結露水をタンク４等に戻して再使用でき、液体を効率的に使用できる。
【００１０】
また前記タンク４は本体のハウジング５に収納されていることを特徴とすることも好ましい。ハウジング５にタンク４を内蔵させることにより商品を小型化できると共に商品を安くできる。
【００１１】
また前記タンク４を給液管８を介して本体のハウジング５とは別体に設けたことを特徴とすることも好ましい。この場合、タンク４を本体のハウジング５に対して着脱し、タンク４内の液体を排出したり、タンク４内に液体を供給したりできる。
【００１２】
また前記タンク４の壁面に液体の通過を阻止すると共に空気を通過させる空気取り込み部材を設けたことを特徴とすることも好ましい。この場合、タンク４内の液体をこぼすことなく、タンク４内に空気を供給することができる。
【００１３】
また液体供給ポンプ２′から噴霧ノズル３に至る経路の途中に開閉弁を設けたことを特徴とすることも好ましい。この場合、開閉弁を操作することにより液体の噴霧をしたり液体の噴霧を止めたりするコントロールができる。
【００１４】
またタンク４から噴霧ノズル３に至る経路の途中に液体中の不純物を濾過または吸着する処理材９を設けたことを特徴とすることも好ましい。この場合、処理材９にて液体の不純物を濾過したり吸着したりすることができ、顔に液体を噴霧する前にその液体を綺麗にすることができる。
【００１５】
また吸引ポンプ２は液体供給ポンプ２′を兼ねていることを特徴とすることも好ましい。吸引ポンプ２が液体供給ポンプ２′を兼ねることにより商品を小型化できると共にコストの面でも値段を安くできる。
【００１６】
また前記噴霧ノズル３は吸引ノズル１からの排気口を兼ねていることを特徴とすることも好ましい。この場合、吸引ノズル１が肌に吸着しているときは液体の噴霧を止めることができる。
【００１７】
【発明の実施の形態】
図１乃至図４に示すように美顔器の本体のハウジング５内には吸引ポンプ２、モータ１０、電池１１等が内装されている。本体のハウジング５の外面に設けた電源スイッチ１２を操作してモータ１０を駆動すると、モータ１０の出力軸１３の回転にて出力軸１３に取り付けた偏心軸１４が偏心運動をし、偏心軸１４の偏心運動にてダイヤフラム部１５が往復駆動されて吸引ポンプ２が吸引動作をするようになっている。ハウジング５の上部には外面から吸引ポンプ２に至るように凹部１６を凹設してあり、凹部１６内の中央には略円柱状のノズル装着部１７を設けてある。このノズル装着部１７には長手方向に貫通するように吸引通路１８を設けてあり、吸引通路１８を吸引ポンプ２に連通させてある。
【００１８】
吸引ノズル１は略円筒状になっており、本例の場合吸引ノズル１をアタッチメントとしてノズル装着部１７に着脱自在に装着してある。しかして吸引ノズル１の先端を肌に当接し、吸引ポンプ２を駆動して吸引ノズル１内を減圧状態にすると、肌が吸い込まれて皮脂や肌の汚れの除去やマッサージを行うことができる。上記吸引ノズル１は図７に示すように一端に吸引カップ１ａを有すると共に他端にマッサージカップ１ｂを有するリバーシブル構造となっており、１つのアタッチメントとしての吸引ノズル１によって吸引用とマッサージ用とを兼ねた構造となっている。ノズル装着部１７に吸引カップ１ａ側を挿入したときはマッサージをし、ノズル装着部１７にマッサージカップ１ｂ側を挿入したときは肌の皮脂や汚れを吸引するようになっている。
【００１９】
また吸引通路１８と吸引ポンプ２との間には吸引空気が逆流するのを防止する吸引弁１９を設けてある。吸引ポンプ２の周辺に吸引した空気を排気するが、この排気した空気が逆流するのを防止するために吸引ポンプ２に排気弁２０も設けてある。吸引ポンプ２が動作すると、排気弁２０から排気室２１に排気され、その排気空気が出口２２から外部に排出されるようになっている。
【００２０】
吸引ノズル１の装着した凹部１６の上方の位置でハウジング５には別の凹部６を凹設してあり、この凹部６に収納するように噴霧ノズル３を装着してある。この噴霧ノズル３には液体を噴霧する噴霧口２３を設けてあり、噴霧口２３の奥には噴霧空気室２４を設けてあり、噴霧空気室２４の先端の空気口２５と噴霧口２３とを対向させてある。空気口２５と噴霧口２３との間の外周には噴霧液室２６を設けてあり、噴霧液室２６を噴霧口２３に連通させてある。噴霧ノズル３の噴霧空気室２４と上記排気室２１とは排気分岐管路２７、排気管２８を介して連通している。また噴霧液室２６と水のような液体を入れたタンク４とは給液管８にて連通しており、タンク４には外気と通じる空気吸引口２９を設けてある。また吸引ノズル１の下方でハウジング５にはミストスイッチ３０が設けてあり、ミストスイッチ３０を押すと、上記出口２２を閉塞し得るようになっている。
【００２１】
しかして吸引ポンプ２が動作しているときにミストスイッチ３０を押すことにより出口２２が閉ざされ、そのため、排気室２１に溜まった排気空気は排気分岐管路２７を通り、排気管２８を通じて噴霧ノズル１の噴霧空気室２４に供給され、上記空気は空気口２５を介して噴霧口２３から噴出する。
【００２２】
ここでベルヌイの定理はＰ／ρｇ＋Ｖ2／２ｇ＝一定（ただし、Ｐ：圧力、Ｖ：空気の流速、ｇ：重力加速度、ρ：空気の密度）であるが、これを図８のベンチュリー管に当てはめると、Ｐ1／ρｇ＋Ｖ12／２ｇ＝Ｐ2／ρｇ＋Ｖ22／２ｇとなり、このことにより噴霧ノズル３の噴霧液室２６に負圧が発生する。そして噴霧液室２６に負圧が発生すると、タンク４内の水のような液体が給液管８を介して噴霧液室２６に供給され、噴霧口２３から噴出される。よって、ミストスイッチ３０を押すことにより、最終的に液体と空気の混ざったミストとして噴出される。
【００２３】
上記動作を模式的に示したのが図６であり、図６（ａ）はミストスイッチ３０を押していないオフの状態であり、図６（ｂ）はミストスイッチ３０をオンの状態である。図６（ａ）のようにミストスイッチ３０がオフの状態のときには出口２２が開かれているためにこの図の矢印ａのように空気が流れ、排気としての空気は出口２２から外部に排出されている。このとき、噴霧ノズル１の噴霧口２３が非常に小さいためにその圧縮抵抗により噴霧口２３から空気が出ない。図６（ｂ）のようにミストスイッチ３０がオンのときには出口２２が閉じられているためにこの図の矢印ｂのように空気が流れ、噴霧ノズル１の噴霧口２３から空気が噴出され、タンク４から液体が矢印ｃのように吸引され、噴霧口２３から液体と空気が混じったミストとして噴霧される。
【００２４】
上記のようにミストスイッチ３０を押してオンにすると液体がミストとして噴霧口２３から噴霧されるが、この噴霧したミストを肌に当てて使用することができる。なお、図１乃至図７に示す実施の形態の例の場合、吸引ポンプ２を駆動したときの排気の空気を噴霧ノズル３に供給することでタンク４の液体を噴霧ノズル３に供給するようになっており、吸引ポンプ２が噴霧ノズル３に液体を供給する液体供給ポンプ２′と兼ねるようになっている。
【００２５】
従って、美顔器を使用する前（吸引ノズル１から肌を吸引するように使用する前）に上記ミストを肌に吹き付ければ、使用時に滑りがよくなり、肌への負担が少なくて済み、また使用後においては使用箇所を冷却し、且つ汚れ除去箇所の毛穴を引き締めることができる。
【００２６】
また噴霧ノズル３を本体のハウジング５に装着するとき、上記したようにハウジング５に凹部６を凹設し、この凹部６に収納するように噴霧ノズル３を装着してある。このように凹部６に噴霧ノズル３を収納することにより、図９に示すように凹部６の開口部３４を小さな径にしたりすることができ、このことによりミストの広がり角度を規制することができ、狙った箇所以外にミストがかからないようにすることができる。
【００２７】
また図２、図４及び図１０に示すように噴霧ノズル３の噴霧口２３のより先端側には噴霧の広がりを規制する椀状のガイド部３５を設けてある。このようにガイド部３５を設けてあると、図１０の破線に示すように噴霧角度を規制するように噴霧角度を調整することができる。噴霧角度を調整することにより、使用したい箇所を狙って液体を噴霧して効果的な効果が期待できる。
【００２８】
また図４に示すように記凹部６の開口縁に近接するように噴霧ノズル３のガイド部３５の先端にリング状部７を設けてあり、凹部６の開口縁とリング状部７との間に隙間３６を設けてある。このようにしてあることにより、液体の噴霧角度を規制した時に発生する結露水を噴霧させるのでなく、上記隙間３６を介して本体のハウジング５内に垂らし、ハウンジグ５の排液口３８から外部に排出できる。このために噴霧ノズル３から結露水が吐出されるような弊害を防止できる。
【００２９】
また図１１に示すように隙間３６から垂らす結露水を噴霧ノズル３に液体を供給する経路に戻すようになっていることも好ましい。図１１の例では隙間３６とタンク４とを結露水戻し管路３９にて連通させてある。このようにしてあると、噴霧の際に結露した結露水を図１１の矢印のように隙間３６から結露水戻し管路３９を通してタンク４に戻すことができ、水のような液体を外部に排出することなく効率的に使用することができる。
【００３０】
また図１乃至図７の例のようにタンク４は本体５のハウジング５に内蔵されていることが好ましい。ハウジング５にタンク４を内蔵させることにより商品を小型化できると共に商品を安くできる。
【００３１】
また、前記タンク４を給液管８を介して本体のハウジング５とは別体に設けたことも好ましい。つまり、タンク４をハウジング５に取り付けるとき、図１２に示すように例えばフック部４０をレール溝４１に着脱自在に係止するなどしてタンク４を着脱自在に取り付けてあることが好ましい。この場合、タンク４を本体のハウジング５に対して着脱し、タンク４内の液体を排出したり、タンク４内に液体を供給したりできる。
【００３２】
また前記タンク４の壁面に液体の通過を阻止すると共に空気を通過させる空気取り込み部材を設けることも好ましい。タンク４内の水のような液体を供給し続けるためには、タンク内圧を調整する孔を設ける必要がある。よって、図３に示すようにタンク４内に空気を吸い込む外気吸引口２９を設けている。通常は水のような液体の表面張力にて外気吸引口２９よりの水漏れがないが、使用中にショックを与えると漏れるおそれがある。よって、その外気吸引口２９の表面側に表面活性材（液体の通過を阻止すると共に空気を通過させる部材）４１を設けることで、タンク４内の液体をこぼすことなく、タンク４内に空気を供給できるようになっている。
【００３３】
また液体供給ポンプ２′から噴霧ノズル３に至る経路の途中に開閉弁を設けることも好ましい。給液管８の途中に管路を塞ぐ開閉弁を設けている。例えば、給液管８を弾性体にて形成し、弾性体の給液管８を外部からのスイッチ操作にて押圧して給液管８の穴を開閉するようにしてある。この場合、開閉弁を操作することにより液体の噴霧をしたり液体の噴霧を止めたりするコントロールができる。
【００３４】
またタンク４から噴霧ノズル３に至る経路の途中に液体中の不純物を濾過または吸着する処理材９を設けたことも好ましい。タンク４内の液体を給液管８を通じて噴霧ノズル３に供給しているが、タンク４の液体吸引口４３と噴霧ノズル３との間に図３に示すように液体の不純物を濾過または吸着するような処理材９を設けてある。この場合、処理材９にて液体の不純物を濾過したり吸着したりすることができ、顔に液体を噴霧する前にその液体を綺麗にすることができる。
【００３５】
また吸引ポンプ２は液体供給ポンプ２′を兼ねていることも好ましい。図１乃至図７に示す例のように吸引ポンプ２を駆動したときの排気の空気を噴霧ノズル３に供給することでタンク４の液体を噴霧ノズル３に供給するようになっており、吸引ポンプ２が噴霧ノズル３に液体を供給する液体供給ポンプ２′と兼ねるようになっている。吸引ポンプ２が液体供給ポンプ２′を兼ねることにより商品を小型化できると共にコストの面でも値段を安くできる。
【００３６】
また前記噴霧ノズル３は吸引ノズル１からの排気口を兼ねていることも好ましい。図６（ｂ）のようにミストスイッチ３０をオンにした状態で噴霧ノズル３の噴霧口２３が吸引ノズル１からの排気口を兼ねることにより、吸引ノズル１が肌を吸着した使用中は吸引ノズル１が塞がれているために噴霧口２３を空気が殆ど流れなく、ミストが噴霧しないが、吸引ノズル１を肌から離すと、噴霧口２３に流れる空気の量が増えてミスト噴霧を開始することができる。この場合、吸引ノズル１が肌に吸着しているときは液体の噴霧を止めることができる。
【００３７】
また吸引ノズル１の先端部を噴霧ノズル３の吹き出し位置よりも突出するように構成したことも好ましい。図２に示すように吸引ノズル１の先端が噴霧ノズル３の先端より突出していることにより、吸引ノズル１から肌を吸引している使用時には噴霧ノズル３が邪魔にならず、また噴霧するとき顔の凹凸を気にすることなく使用でき、また吸引ノズル１が肌より離れたとき、液体の噴霧に適度な広がりがあり、使用箇所に効果的な噴霧ができる。
【００３８】
【発明の効果】
本発明の請求項１の発明は、本体のハウジングの上部に、肌に当接して吸引する吸引ノズルと、該吸引ノズルの周囲近傍に位置して前記吸引ノズルで吸引した後の肌に液体を噴霧して冷却するための噴霧ノズルを設け、前記吸引ノズルの先端部を噴霧ノズルの吹き出し位置よりも突出し、ハウジングに噴霧ノズルに供給する液体を貯蔵するタンクを設けると共に、該ハウジングに、吸引ノズルに吸引力を発生するための吸引ポンプと、タンク内の液体を噴霧ノズルに供給する液体供給ポンプを内蔵したので、液体供給ポンプを動作させることによりタンク内の液体を噴霧ノズルに供給して噴霧ノズルから液体をミストとして噴霧できるものであって、美顔器使用前（美顔器で吸気ノズルから吸引する前）液体を噴霧ノズルから噴霧することにより、滑りを良くして使用時に肌に負担をかけないようにすることができるものであり、また美顔器使用後は、使用箇所の肌が運動したために発熱しているが、その箇所に液体を噴霧することにより冷却したり、汚れを除去した毛穴を引き締めたりすることができるものである。またハウジングに液体供給ポンプを内蔵させることにより商品を小型化することができる。また吸引ノズルの先端部を噴霧ノズルの吹き出し位置よりも突出するように構成したので、吸引ノズルから肌を吸引している使用時には噴霧ノズルが邪魔にならず、且つ吸引ノズルが肌より離れたとき、液体の噴霧に適度な広がりがあり、使用箇所に効果的な噴霧ができる。
【００３９】
また本発明の請求項２の発明は、請求項１において、前記噴霧ノズルは本体のハウジングに設けた凹部に配設したので、凹部の開口で噴霧ノズルから噴霧するミストの広がりを規制でき、狙った箇所以外にミストがかからないようにでき、噴霧したミストが顔以外の部位にかからないように調整したりすることができるものである。
【００４０】
また本発明の請求項３の発明は、請求項２において、噴霧ノズルには噴霧ノズルからの噴霧の広がりを規定する部分が形成されたので、液体を噴霧する噴霧角度を調整でき、噴霧角度を調整することにより、使用したい箇所を狙って液体を噴霧して効果的な効果が期待できるものである。
【００４１】
また本発明の請求項４の発明は、請求項２または請求項３において、前記凹部の開口縁に近接するように噴霧ノズルの先端にリング状部を設け、凹部の開口縁とリング状部との間に浸入してきた液体を排出する排液手段を設けたので、液体の噴霧角度を規制した時に発生する結露水を噴霧させることがないように排出でき、噴霧ノズルから結露水が吐出されるような弊害を防止できるものである。
【００４２】
また本発明の請求項５の発明は、請求項４において、前記排液手段は、噴霧ノズルに液体を供給する経路に戻すように形成されているので、結露水をタンク等に戻して再使用でき、液体を効率的に使用できるものである。
【００４３】
また本発明の請求項６の発明は、請求項１乃至請求項５のいずれかにおいて、前記タンクは本体のハウジングに収納されているので、商品を小型化できると共に商品を安くできるものである。
【００４４】
また本発明の請求項７の発明は、請求項１乃至請求項５において、前記タンクを給液管を介して本体のハウジングとは別体に設けたので、タンクを本体のハウジングに対して着脱し、タンク内の液体を排出したり、タンク内に液体を供給したりできるものである。
【００４５】
また本発明の請求項８の発明は、請求項１乃至請求項７において、前記タンクの壁面に液体の通過を阻止すると共に空気を通過させる空気取り込み部材を設けたので、タンク内の液体をこぼすことなく、タンク内に空気を供給することができるものである。
【００４６】
また本発明の請求項９の発明は、請求項１乃至請求項８のいずれかにおいて、液体供給ポンプから噴霧ノズルに至る経路の途中に開閉弁を設けたので、開閉弁を操作することにより液体の噴霧をしたり液体の噴霧を止めたりするコントロールができるものである。
【００４７】
また本発明の請求項１０の発明は、請求項１乃至請求項９のいずれかにおいて、タンクから噴霧ノズルに至る経路の途中に液体中の不純物を濾過または吸着する処理材を設けたので、処理材にて液体の不純物を濾過したり吸着したりすることができ、顔に液体を噴霧する前にその液体を綺麗にすることができるものである。
【００４８】
また本発明の請求項１１の発明は、請求項１において、吸引ポンプは液体供給ポンプを兼ねているので、商品を小型化できると共にコストの面でも値段を安くできるものである。
【００４９】
また本発明の請求項１２の発明は、請求項１１において、前記噴霧ノズルは吸引ノズルからの排気口を兼ねているので、吸引ノズルが肌に吸着しているときは液体の噴霧を止めることができるものである。
【図面の簡単な説明】
【図１】  本発明の美顔器の実施の形態の一例を示し、（ａ）は正面図、（ｂ）は側面図、（ｃ）は平面図である。
【図２】  同上の一部省略縦断面図である。
【図３】  同上の横断面図である。
【図４】  図２の要部を拡大せる断面図である。
【図５】  同上の要部の分解斜視図である。
【図６】  同上の動作を説明する説明図であり、（ａ）はミストスイッチがオフの状態、（ｂ）はミストスイッチがオンの状態である。
【図７】  同上の吸引ノズルを示す断面図である。
【図８】  同上の噴霧ノズルの動作を説明するための説明図である。
【図９】  同上の他の例の噴霧ノズルの部分を示す断面図である。
【図１０】  同上の他の例の噴霧ノズルを示す断面図である。
【図１１】  同上の他の例の要部を示す断面図である。
【図１２】  同上の他の例の縦断面図である。
【符号の説明】
１  吸引ノズル
２  吸引ポンプ
２′  液体供給ポンプ
３  噴霧ノズル
４  タンク
５  ハウジング
６  凹部
７  リング状部
８  給液管
９  処理材
【図１】
0003864652.tif 000002
【図２】
0003864652.tif 000003
【図３】
0003864652.tif 000004
【図４】
0003864652.tif 000005
【図５】
0003864652.tif 000006
【図６】
0003864652.tif 000007
【図７】
0003864652.tif 000008
【図８】
0003864652.tif 000009
【図９】
0003864652.tif 000010
【図１０】
0003864652.tif 000011
【図１１】
0003864652.tif 000012
【図１２】
0003864652.tif 000013